(57)【要約】【課題】  電気掃除機で集塵された粉塵を廃棄する際、アレルゲン物質が掃除者へ暴露されるのを防ぐために、集塵袋内又は集塵カップ内で粉塵中に含まれるアレルゲン物質を不活化させる抗アレルゲン固形物を提供する。【解決手段】  アレルゲン物質を不活化させるアレルゲン低減化組成物の固形状体で、電気掃除機の集塵袋又は集塵カップと別体にして、該固形状体を水分保持担体の粒状物とし且つ該集塵袋内又は該集塵カップ内に保持されるようにして集塵袋内又は集塵カップ内に吸い込んだ塵中のアレルゲンを不活化させる。【選択図】  図２
2008088268.tif 000002
【特許請求の範囲】
【請求項１】
アレルゲン物質を不活化させるアレルゲン低減化組成物の固形状体で、電気掃除機の集塵袋又は集塵カップと別体にして、且つ該集塵袋内又は該集塵カップ内に保持されるようにして集塵袋内又は集塵カップ内に吸い込んだ塵中のアレルゲンを不活化させることを特徴とする抗アレルゲン固形物。
【請求項２】
前記アレルゲン低減化組成物の固形状体が、アレルゲン不活化剤を含有する固形物である請求項１記載の抗アレルゲン固形物。
【請求項３】
前記アレルゲン低減化組成物の固形状体が、水分保持担体の粒状物である請求項１記載の抗アレルゲン固形物。
【請求項４】
前記アレルゲン低減化組成物の固形状体が、水分保持担体にアレルゲン不活化剤を添加混合してなる粒状物である請求項１記載の抗アレルゲン固形物。
【請求項５】
前記アレルゲン低減化組成物の固形状体が、水分保持担体にアレルゲン不活化成分を含有する植物組織をそのまま粒状化又は粉末化させたものを添加混合してなる粒状物である請求項１記載の抗アレルゲン固形物。
【発明の詳細な説明】
【技術分野】
【０００１】
本発明は、電気掃除機で集塵された塵中に含まれるダニ、花粉等のアレルゲン物質を不活性化させる抗アレルゲン固形物に関する。
【背景技術】
【０００２】
喘息やアトピー性皮膚炎等のアレルギー疾患の原因となるハウスダストやダニアレルゲンは主に住宅のカーペットやソファーなどの布製品や畳中に多く存在する。それらを生活環境から除去するためには電気掃除機による掃除が有効であるとされているが、集塵袋やフィルタでは捕集できない微細粉塵が排気とともに飛散し、アレルギー患者がアレルゲン物質に接触あるいは吸引するという問題がある。さらに、電気掃除機内に集められた塵を廃棄する際にも、アレルゲン物質が飛散し、掃除者が接触あるいは吸入する虞がある。
こうしたことから上記問題を解消する発明がいくつか提案されてきた(例えば特許文献１,２等)。
【０００３】
【特許文献１】特開２００６−４２８７３公報
【特許文献２】特開平９-１５４７８４号公報
【０００４】
特許文献1では、集塵袋の外層紙内側にアレルゲン不活化剤を塗布することにより、アレルゲン物質が電気掃除機の排気中に排出されることを抑制する方法が開示されている。特許文献2では、サイクロン集塵装置と微細フィルタを電気掃除機に備えることにより、排気される微粉塵量を低減させる方法が開示されている。
【発明の開示】
【発明が解決しようとする課題】
【０００５】
しかしながら、抗アレルゲン処理した集塵袋やサイクロン集塵機だけでは電気掃除機の集塵袋または集塵カップに溜まった粉塵に含まれるアレルゲン物質を不活化させることは困難であり、また廃棄時の掃除者への暴露は回避できないままであった。
【０００６】
本発明は上記問題点を克服するもので、電気掃除機で集塵された粉塵を廃棄する際、アレルゲン物質が掃除者へ暴露されるのを防ぐために、集塵袋内又は集塵カップ内で粉塵中に含まれるアレルゲン物質を不活化させる抗アレルゲン固形物を提供することを目的とする。
【課題を解決するための手段】
【０００７】
上記目的を達成すべく、請求項１に記載の発明の要旨は、アレルゲン物質を不活化させるアレルゲン低減化組成物の固形状体で、電気掃除機の集塵袋又は集塵カップと別体にして、且つ該集塵袋内又は該集塵カップ内に保持されるようにして集塵袋内又は集塵カップ内に吸い込んだ塵中のアレルゲンを不活化させることを特徴とする抗アレルゲン固形物にある。ここで、「固形状体」,「固形物」には固体のみならずゲル状態にあるものも含む。
請求項２の発明たる抗アレルゲン固形物は、請求項１で、アレルゲン低減化組成物の固形状体が、アレルゲン不活化剤を含有する固形物であることを特徴とする。請求項３の発明たる抗アレルゲン固形物は、請求項１で、アレルゲン低減化組成物の固形状体が、水分保持担体の粒状物であることを特徴とする。
請求項４の発明たる抗アレルゲン固形物は、請求項１で、アレルゲン低減化組成物の固形状体が、水分保持担体にアレルゲン不活化剤を添加混合してなる粒状物であることを特徴とする。請求項５の発明たる抗アレルゲン固形物は、請求項１で、アレルゲン低減化組成物の固形状体が、水分保持担体にアレルゲン不活化成分を含有する植物組織をそのまま粒状化又は粉末化させたものを添加混合してなる粒状物であることを特徴とする。
【０００８】
請求項１の発明のごとく、電気掃除機の集塵袋又は集塵カップと別体であると、抗アレルゲン固形物の製造者は瓶や缶,袋等に入れて電気掃除機と切り離して手軽に別売り販売ができる。そして、アレルゲン物質を不活化させるアレルゲン低減化組成物の固形状体で、且つ該集塵袋内又は該集塵カップ内に保持されるようにすると、電気掃除機の形式やその構造にとらわれることがなく、使う側の自由度が広がる。需要者はアレルギー体質の人が必要に応じ適量を集塵袋内又は該集塵カップ内に入れて、塵袋内,集塵カップ内に吸い込んだ塵中のアレルゲンを不活化できるので重宝する。本抗アレルゲン固形物を用いることによって、既存の電気掃除機であっても集塵袋内等で粉塵中に含まれるアレルゲン物質を簡便に不活化させ取除くことができる。さらに、集塵袋内(又は集塵カップ内)に吸い込んだ塵中のアレルゲンと本抗アレルゲン固形物とが、電気掃除機をかける度に集塵袋内(又は集塵カップ内)で直接、接触混合する機会が増えて混ざり合うことになり、アレルゲン物質を効率良く不活化させ除去できる。従って、電気掃除機で集塵された粉塵を廃棄する際、アレルゲン物質が掃除者へ暴露されるのを防ぐことができる。
請求項２の発明のごとく、アレルゲン低減化組成物の固形状体がアレルゲン不活化剤を含有する固形物であると、固形物であるため扱い易くなる。請求項３の発明のごとく、アレルゲン低減化組成物の固形状体が水分保持担体の粒状物であっても、粒状物であるため集塵袋,集塵カップに入れる使用量の調整などで扱い易くなる。また、水分保持担体を用いることによって低コスト化が図られる。
請求項４の発明のごとく、アレルゲン低減化組成物の固形状体が水分保持担体にアレルゲン不活化剤を添加混合した粒状物であると、水分保持担体とアレルゲン不活化剤の組合せによる相乗作用(後述)によってアレルゲン低減化効果が一段と上がる。また所望のアレルゲン低減化効果を発揮しながら、水分保持担体とアレルゲン不活化剤の組み合わせによって、一般に高価なアレルゲン不活化剤の使用量を抑えることが可能になり、低コスト化が図られる。
請求項５の発明のごとく、水分保持担体にアレルゲン不活化成分含有の植物組織をそのまま粒状化又は粉末化させたアレルゲン不活化剤を添加混合してなる抗アレルゲン固形物とすると、所望のアレルゲン不活化性能を堅持しながらアレルゲン不活化剤の低コスト化をさらに推し進めることができる。
【０００９】
本発明者等は前記問題を解決するため鋭意研究を重ねた結果、アレルゲン不活化剤を粒状及び/又はゲル状として、集塵袋又は集塵カップに入れることにより、粉塵中のアレルゲン物質を効果的に不活化させることが可能になることを見出し、本発明に至った。
【発明の効果】
【００１０】
本発明の抗アレルゲン固形物は、電気掃除機の内部にある集塵袋及び/又は集塵カップに直接入れるためアレルゲン物質に対し直接的な効き目があり、また粒状物とすることによってアレルゲン物質との接触面積が大で、排気中のアレルゲン物質を効果的に減少させることができる。電気掃除機内に蓄積されたアレルゲン物質を不活化させることが可能となる。そのため、粉塵廃棄時に掃除者がアレルゲン物質に暴露されることを防ぐことができる。さらに、本発明の抗アレルゲン固形物は集塵袋又は集塵カップと別体であるので使い勝手が良い。アレルゲン物質の除去希望者は集塵袋内又は集塵カップ内へ掃除する前などに適宜必要量を投入できる。電気掃除機の形状や集塵方式に関わらず使用可能で、電気掃除機に対する適用制限がなく優れた効果を発揮する。
【発明を実施するための最良の形態】
【００１１】
以下、本発明に係る抗アレルゲン固形物について詳述する。
本発明の抗アレルゲン固形物は電気掃除機集塵部で使用するものである。詳しくは、アレルゲン物質を不活化させるアレルゲン低減化組成物の固形状体であって、電気掃除機に係る集塵袋内や集塵カップ内に直接投入するか或いは電気掃除機に吸い込ませ、該集塵袋内や該集塵カップ内に保持されるようにして集塵袋内又は集塵カップ内に吸い込まれた塵中のアレルゲンを不活化させる抗アレルゲン固形物である。抗アレルゲン固形物たる固形物の形状,形態は、集塵袋内や集塵カップ内で保持することができる固形状体であれば足り、特に制限されない。抗アレルゲン固形物はその形状,形態を例えば粒状、顆粒状、繊維状、ゲル状等とすることができる。抗アレルゲン固形物は粒状物とするのが、アレルゲン物質との接触面積を高めることから好適であり、またその粒状物の粒子径(本発明は球形でない場合、粒子径に相当直径を採用する。)は0.02〜10mmの範囲が好ましく、より好ましくは0.07〜5mmの範囲である。この範囲よりも粒子径が小さくなると、掃除機のフィルタを通過してしまう虞がある一方、この範囲よりも大きい場合は表面積が小さくなり効率が悪くなる虞があるからである。抗アレルゲン固形物の粒子表面が多孔質であると、表面積が大きくなるためより好ましくなる。
【００１２】
アレルゲン低減化組成物とは、アレルゲン低減化に働くアレルゲン不活化剤及び/又は水分保持担体を含有するものをいう。
本発明者等は水分保持担体自身もアレルゲン低減化に機能することを見出した。水分保持能力の高い担体(水分保持担体)へアレルゲン不活化剤を担持させると、より高い効果が得られる。これはアレルゲンがタンパク質であるため、水に溶解しやすく、僅かな水分があることでアレルゲンとアレルゲン不活化剤の接触頻度が上がり、不活化効率が向上するからである。本発明でいう水分保持担体とはハイドロゲルを指す。
ハイドロゲルは「水に対して不溶な架橋性高分子の膨潤体。水によって膨潤しているが、架橋構造によってその程度は有限の範囲に抑えられる。」(東京理科大学理工学編集委員会編集『理工学辞典』,日刊工業新聞社,1996年3月28日発行)とある。ハイドロゲルは固体と液体の中間的な状態にあるが、本発明でいう固形物、固形状体、粒状物、粒体にはハイドロゲルの形態も含むものとする。
ゲルとはコロイド溶液が流動性を失い、多少の弾力性と硬さをもってゼリー状に固化したものであり、その媒体が水であるものがハイドロゲルとなる。ハイドロゲルの具体例としては、アルギン酸塩、アルギン酸、寒天、ペクチン(ペクチニン酸)、澱粉、コンニャクマンナン、メチルセルロース架橋物などのゲル化多糖からなるゲル、ゼラチン(変性コラーゲン)、グリシニン(大豆タンパク質)ゲル、コングリシニン(大豆タンパク質)などのゲル化タンパク質からなるゲル、ポリアクリルアミド、ポリビニルアルコール架橋物、アクリル酸重合体部分ナトリウム塩架橋物などの合成高分子ゲルなどが該当する。またスポンジなどの気体を媒体とするエアロゲルが水分を含んだ状態にあるものもハイドロゲルである。
【００１３】
前記アレルゲン不活化剤はアレルゲン物質を不活化させる化合物や複合化合物をいう。該アレルゲン不活化剤は、アレルゲン物質を不活性化させる作用があるので、固形状体にして、集塵袋内又は該集塵カップ内に入れ保持されるようにし、集塵袋内又は集塵カップ内に吸い込んだ塵中のアレルゲンを不活化させる抗アレルゲン固形物になる。該固形状体が粒子径0.02〜10mmの範囲(より好ましくは0.07〜5mmの範囲)にある粒状物とすれば、集塵袋を目詰まりさせ難くなりより一層好ましくなる。
アレルゲン不活化剤の具体例としては、タンニン酸、アカシアマンギウム樹皮抽出物、ワットルタンニン、ガロタンニン、柿渋等のタンニン類、エピガロカテキンガレート、茶抽出物、没食子酸等のポリフェノール類、ポリビニルフェノール等のフェノール性ポリマー類、フタロシアニン化合物、タンパク質分解酵素等が挙げられる。
アレルゲン不活化剤には、カテキンなどのアレルゲン不活化成分を含有する植物組織を粉砕し、そのまま粒状化又は粉末化させたものも含まれる。これをそのまま抗アレルゲン固形物として使用することができる。また、これを前記水分保持担体にアレルゲン不活化剤を添加混合した固形状体にすることができる。該固形状体も粒子径0.02〜10mmの範囲(より好ましくは0.07〜5mmの範囲)にある粒状物にすれば、集塵袋を目詰まりさせ難くなりより一層好ましくなる。ここで、植物組織とは天然植物の組織そのものを有するものをいい、例えば樹皮、葉、木部、根、果皮、果肉、種子等が該当する。
【００１４】
本発明の抗アレルゲン固形物には抗カビ剤、抗菌剤および消臭剤を混合させることも可能である。防カビ剤、抗菌剤及び消臭剤の種類は特に限定されないが、例えば、安息香酸、安息香酸塩、ヒノキチオール、パラオキシ安息香酸エステル、パラオキシ安息香酸イソブチルエステル、パラオキシ安息香酸エステル、パラオキシ安息香酸イソプロピルエステル、パラオキシ安息香酸エチルエステル、パラオキシ安息香酸ブチルエステル、パラオキシ安息香酸プロピルエステル、パラオキシ安息香酸メチルエステル、酸化還元反応-リン酸チタニウム、銀イオン、活性炭、竹炭、ゼオライト、シクロデキストリン誘導体等が該当する。
【００１５】
〔実施例〕
1. ハイドロゲル,アレルゲン不活化剤添加ハイドロゲルの調製
(1)アルギン酸塩ゲル：2% アルギン酸ナトリウム水溶液50 mlを20%塩化カルシウム水溶液100mlにパスツールピペットを用いて滴下し、直径約2 mmの球状のゲルを調製した。調製したゲルはイオン交換水で十分に洗浄し、ペーパータオル上で余分な水分を除去した。
(2)アレルゲン不活化剤添加アルギン酸塩ゲル：2% アルギン酸ナトリウム水溶液50 mlにアレルゲン不活化剤5gを加え、均一に混合した。アレルゲン不活化剤としてはアカシアマンギウム樹皮粉末（AMB、粒子径 約70〜80μm）、アカシアマンギウム樹皮抽出物（AMB-Ex）、タンニン酸、ポリパラビニルフェノール（マルカリンカー、丸善石油化学製）を用いた。上述のアルギン酸塩ゲルと同様に、この溶液を20%塩化カルシウム水溶液100 mlにパスツールピペットを用いて滴下し、直径約2 mmの球状のゲルを調製した。調製したゲルはイオン交換水で十分に洗浄し、ペーパータオル上で余分な水分を除去した。
【００１６】
(3)寒天ゲル：1gの寒天粉末を50mlの熱水で溶解し、ジイソプロピルエーテル(IPE)とイオン交換水の2層からなる冷却バスに滴下した。滴下した寒天が潰れるのを防ぐために、図１に示すようなステンレス製網をビーカ内に設置した。調製した直径約2mmの球状寒天粒はイオン交換水で十分に洗浄し、IPEを除去した。余分な水分はペーパータオル上で除去した。
【００１７】
(4)ペクチンゲル：4%ペクチン水溶液50mlを20%塩化カルシウム0.1%-水酸化カルシウム水溶液200mlにパスツールピペットを用いて滴下し、直径約2mmの球状のゲルを調製した。調製したゲルはイオン交換水で十分に洗浄し、ペーパータオル上で余分な水分を除去した。
(5)澱粉ゲル：サツマイモデンプン12.5gにイオン交換水50mlを加え、10分間攪拌しながら加熱した。厚さ3mmとなるようにシャーレに流し入れ、流水浴中で冷却してゲル化させた。調製したゲルは約3mm四方にカットした。
【００１８】
(6)ゼラチンゲル：ゼラチン10gを熱水50mlに溶解し、厚さ約3mmとなるようにシャーレに流し入れ、4℃で冷却してゲル化させた。調製したゲルは約3mm四方にカットした。
(7)ポリアクリルアミドゲル：30%アクリルアミド溶液(29.2%アクリルアミドモノマー、0.8%N,Nメチレン-ビスアクリルアミドを含む)16.8mlに0.01Mリン酸緩衝液(pH7.4)12.5ml、蒸留水20.5mlを加えよく攪拌した。この溶液に10%過硫酸アンモニウム溶液250μlとN,N,N',N'-テトラメチルエチレンジアミン26μlを加えてよく攪拌し、厚さ約3mmとなるようにシャーレに流し入れ、液表面にガラス板を載せて空気を遮断し、室温で30分間静置した。静置後、ゲルをイオン交換水で洗浄し、約3mm四方にカットした。
上記調製した各ゲルはそれぞれ密閉容器内で冷暗所(4℃)にて保存した。
【００１９】
2. ダニアレルゲン不活化試験
(i) 1cm四方にカットしたセルロースろ紙1枚あたり32ngの精製ダニ抗原Der f2（生化学工業製）を含浸させ、40℃で1時間送風乾燥した。このろ紙3枚にAMB 30mgを混合し、20時間静置した。ろ紙とAMBを分離し、ろ紙3枚を500 μlの1/15M リン酸緩衝液-0.06% Tween 20 (PBS-T、H7.4)で10分間抽出し、抽出液中のDer f2量をマイティーチェッカー（シントーファイン株式会社製）により判定した。コントロールとして、ダニ抗原含浸ろ紙のみを室温で20時間静置したものを用いた。
【００２０】
(ii) 精製ダニ抗原Der f1（生化学工業製）またはDer f2 50μgを蒸留水10 mlに溶解し、セルロースパウダー10gに全量を均一に噴霧した。このセルロースパウダーを凍結乾燥させ、ダニ抗原含浸パウダーとした。
ダニ抗原含浸パウダー 500 mgに上記1.で調製したゲル3gを混合し、室温で20時間静置した。静置後、ダニ抗原含浸パウダーとゲルを分離し、ダニ抗原含浸パウダーは減圧乾燥した。乾燥したダニ抗原含浸パウダー50 mgを500μlのPBS-Tで10分間抽出し、抽出液中のDer f1量を後述するサンドイッチELISA法により定量した。Der f2量はマイティーチェッカー（シントーファイン株式会社製）により判定した。コントロールとして、ダニ抗原含浸パウダーのみを室温で20時間静置したものを用いた。また、ゲルを加えずに蒸留水を適量噴霧し、20時間静置後、減圧乾燥したものについても同様に不活化率を測定した。
【００２１】
マイティーチェッカーによるダニアレルゲン量の判定基準は次の通りである。
1: 全く発色していない（ダニアレルゲンの汚染はない）
2: うっすらと発色しているのがわかる（ややダニアレルゲンで汚染されている）
3: ラインであることがはっきりとわかる（ダニアレルゲンで汚染されている）
4: 濃く、太いハッキリとしたライン（非常に汚染されている）
【００２２】
［サンドイッチELISA法］
サンドイッチELISA法はIndoor biotechnologies製のDer f1 ELISA kit (6A8/4C1)により行った。すなわち、抗Der f1モノクロナール抗体6A8を50mM炭酸ナトリウム緩衝液(pH 9.6)で2μg/mlの濃度に希釈し、マイクロプレート（NUNC製）の各ウェルに100 μlずつ分注して、4℃で一晩静置した。静置後、0.05%のTween 20を含むリン酸緩衝液(PBS-T、pH 7.4)で各ウェルを3回ずつ洗浄し、1% 牛血清アルブミン（BSA、Sigma-Aldrich製）を含むPBS-Tを100μlずつ分注して室温で30分間静置した。各ウェルをPBS-Tで3回ずつ洗浄し、試験溶液（抗原抽出液）を100 μlずつウェルに入れ、室温で1時間静置した。検量線には精製ダニ抗原Der f1（生化学工業製）をPBS-Tで所定濃度に希釈したものを用いた。PBS-Tで3回洗浄後、ビオチン結合抗Der f1モノクロナール抗体4C1を100μlを分注し、室温で1時間静置した。PBS-Tで3回洗浄後、1% BSA-PBS-Tで0.25 μg/mlに希釈したストレプトアビジン結合ペルオキダーゼ（Sigma-Aldrich製）100μlを分注し、室温で30分間静置した。PBS-Tで3回洗浄後、基質溶液（ABTS Substrate kit, VECTOR laboratories製）100μlを分注し、室温で30分間静置後、マイクロプレートリーダーで405 nmにおける吸光度を測定した。検量線より得られたDer f1濃度から、(1)式によってDer f1不活化率を算出した。(1)式中のCとTはそれぞれコントロールと試験溶液中のDer f1濃度を示す。
Der fI不活化率(%)=(1-T/C)×100      …    (1)式
表１に不活化試験方法(i)、表２に不活化試験方法(ii)によるダニアレルゲン不活化試験の結果を示す。また表３に各種ハイドロゲル単体のダニアレルゲン不活化試験の結果を示す。
【００２３】
【表１】
2008088268.tif 000003
【００２４】
【表２】
2008088268.tif 000004
【００２５】
【表３】
2008088268.tif 000005
【００２６】
不活化試験方法(i)では、AMBを抗原Der f2に接触させることにより判定が4から3へと下がり、不活化効果が確認された。その他のアレルゲン不活化剤の固形物についても同様の効果が得られた。アレルゲン不活化剤を粒状物とし接触面積を大きくすることによって高い効果が得られた。さらに不活化試験方法(ii)では、AMB、AMB-Exまたはタンニン酸にアルギン酸ナトリウムを加えてゲル化した場合、Derf2では判定が4から1へと下がり、高い不活化効果が確認された。またアルギン酸ナトリウムのみをゲル化した場合でも不活化効果が確認されたが、アレルゲン不活化剤を混合させることで効果が上がった。Der f1についてはAMB-Exおよびタンニン酸で不活化率100%となり、マルカリンカー、AMBでもアルギン酸ナトリウムのみの場合よりも高い不活化効果が確認された(表２)。アルギン酸塩以外のハイドロゲルについても、アレルゲン不活化剤を加えるとそのハイドロゲルのみの場合よりも高い不活化効果が確認された。
【００２７】
アルギン酸塩ゲル以外のハイドロゲルについて不活性化試験を行ったところ、寒天についても同様の効果が確認された。その他のハイドロゲルでは不活化効果は40〜60%程度に留まった。ペクチンはアルギン酸塩と同様にカルシウムを加えることにより架橋されるため、高い不活化効果が期待されたが実際には不活化率40%であった。これは通常のペクチンでは糖のカルボキシル基部分が一部メチルエステル化されているため、アルギン酸塩と比較して架橋点が少なくなり、アレルゲンを捕捉するのに適した三次元構造を形成できなかったためであると考えられる。このことから、ペクチン酸やLMペクチンなどメトキシル基が少ないペクチン類を使用することにより、不活化効果が向上すると予想される。
【００２８】
これらのゲルのみの不活化効果の原因として、抗原を含んだセルロースパウダーが水により湿潤し、再度乾燥する際にアレルゲンが変性し不活化すると予想されたが、蒸留水のみを噴霧して乾燥させても、不活化はほとんど起こらなかった(表３)。また、抗原を蒸留水に溶解した抗原希釈液に、アルギン酸ゲルを添加しても不活性化は確認されなかった。以上のことから、アルギン酸塩ゲルや寒天による不活化は、粉塵中にアレルゲンが溶出し、ゲルに浸透・吸収・捕捉されることにより起こると想定される（図２）。粒状物,粒体のハイドロゲルにトラップされ、閉じこめられてしまうと推定される。さらにゲルにアレルゲン不活化剤活化剤を添加すると、ゲル表面にあるアレルゲンも不活化剤と接触することによって不活化され、より高い効果が得られたと考えられる(図３)。
【００２９】
以上の結果から、アルギン酸塩ゲルなどハイドロゲルにAMB-Ex、タンニン酸などのアレルゲン不活化剤を保持させることにより、アレルゲン不活化効果が高まることが明らかとなった。さらに、これらのハイドロゲル、ハイドロゲルにアレルゲン不活化剤を添加混合した粒状物は、粉塵中のアレルゲンを効果的に不活化できる新規な抗アレルゲン固形物として使用可能であることが判り、実際、電気掃除機の集塵袋内に入れ保持されるようにして該集塵袋内に吸い込んだ塵中のアレルゲンを不活化させることが確認できた。抗アレルゲン固形物は、粒状物とした場合に集塵袋内に入ったアレルゲン物質と直かに接することから効果が上がった。また、電気掃除機を使用すると、その吸い込み乱気流によって抗アレルゲン固形物と集塵袋内に入り込んだアレルゲン物質の接触混合が積極的になされるため、アレルゲン物質の除去効果が上がったものと考えられる。
【００３０】
尚、本発明においては前記実施形態,実施例に示すものに限られず、目的,用途に応じて本発明の範囲で種々変更できる。
【図面の簡単な説明】
【００３１】
【図１】寒天ゲルの調製装置の説明図である。
【図２】ハイドロゲルを用いて、アレルゲン不活化イメージを表現する説明断面図である。
【図３】ハイドロゲルにアレルゲン不活化剤が添加混合された抗アレルゲン固形物を用いて、アレルゲン不活化イメージを表現する説明断面図である。
【図１】
2008088268.tif 000006
【図２】
2008088268.tif 000007
【図３】
2008088268.tif 000008